(57)【要約】      （修正有）【課題】限られた空間を活用できるとともに、使い易い机や家具を構成し、かつ、空間の利用形態を容易に変更できるようにする。【解決手段】天板等の垂れ下がりを防止するため、その支持具を上部支持部１と下部支持部２と中間支持部３から構成し、上部支持部１は、円腔を設けた回転軸受部材４と円腔に嵌合する回転軸６と回転軸６の端部に突起８を設けた回転部７及びフランジナット９とから構成し、下部支持部２は、円腔を設けた回転軸受部材と円腔に嵌合する回転軸１２と回転軸１２の端部に突起１４を設けた回転部１３とから構成し、中間支持部３は、突起８及び突起１４に嵌合する凹部１５、１６を設けた棒状又は管状体に形成する。【選択図】図１
2008073198.tif 000002
【特許請求の範囲】
【請求項１】
上部支持部１と、下部支持部２と、中間支持部３とからなり、
前記上部支持部１は、水平方向に円腔５を設けた回転軸受部材４と、前記円腔５に回転可能に嵌合する回転軸６と、該回転軸６の端部に同体に形成され又は別体に形成固着され、回転軸６の回転方向に突起しネジを螺刻した突起８を設けた回転部７と、前記突起８に螺着するフランジナット９とからなり、
前記下部支持部２は、水平方向に円腔１１を設けた回転軸受部材１０と、前記円腔１１に回転可能に嵌合する回転軸１２と、該回転軸１２の端部に同体に形成され又は別体に形成固着され、回転軸１２の回転方向に突起１４を設けた回転部１３とからなり、
前記中間支持部３は、上端及び下端に前記突起８及び突起１４とそれぞれ嵌合する凹部１７及び凹部１８を穿設した棒状又は管状体である、
ことを特徴とする天板の支持具。
【発明の詳細な説明】
【技術分野】
【０００１】
本発明は、机等の天板の支持具の改良に関するものである。
【背景技術】
【０００２】
多数の人が来集する商店や事務所等においては、これらの客の応接を円滑に進める必要があり、限られた空間を効率よく利用しなければならない。従って、応接目的で設ける机は、一定の室面積を有効に活用できるよう、省スペース化の目的に沿うよう構成するとともに、使い易い形状にする必要がある。従来のように机等の天板を支持する脚を複数設けると、該脚の占める空間に相当する部分が室の利用を妨げることになるし、机に対向して椅子を配置したときにも、該脚によって人の下半身の自由が制約されるので、自由に行動できる余裕をもたせる空間の必要を生じる。また、事務用机にあっても、天板下面に接して着脱可能に事務用具等を収容するキャビネットを配置する場合は、該天板下部の脚が不要となる。このような場合において、脚に代わる天板等の支持具を提案するものは、殆どなかった。
【特許文献１】特開２００１―３０９８２１号公報
【発明の開示】
【発明が解決しようとする課題】
【０００３】
解決しようとする問題点は、脚の設置を省いて空間利用の効率化を可能とするとともに、使用目的の変更にも対応できる、天板等の支持具を提案することにある。
【課題を解決するための手段】
【０００４】
本発明は、机等の天板を支持する脚の一部又は全部を省略できるとともに、天板の垂れ下がりを防止できる、天板等の支持具に係るものであり、該支持具は、支柱と該支柱上端部に嵌合する回転軸を備えた上部支持部と前記支柱下端部に嵌合する回転軸を備えた下部支持部とから成ることを特徴とする。
【発明の効果】
【０００５】
本発明に係る天板の支持具は、机の天板を支持する場合に限定されず、例えば、棚板等の支持にも使用できるので、多種の用途に広く使用できる利点がある。
【発明を実施するための最良の形態】
【０００６】
前記支柱は、天板の大小や形状及び使用目的に対応し、前記上部支持部と下部支持部の取着位置を選択して、最適な長さの支柱に容易に変換可能に構成し、簡易な手段で天板の垂れ下がりを防止するとともに、使い安さを最小の部品点数で実現した。
【実施例１】
【０００７】
図１は、本発明の構成を示す概略図、図２は、上部支持部１の構成部材を示す概略図で、（ａ）は取付部材１７に固着した状態を示す回転軸受部材４の正面図、（ｂ）は前記取付部材１７の背面図（もとより取付部材１７は適宜の形状を選択してよい。）、（ｃ）は回転軸６及び回転部７の側面図、図３は、下部支持部２の構成部材を示す概略図で、（ａ）は係止部材１６に固着した状態を示す回転軸受部材１０の正面図、（ｂ）は前記係止部材１８の背面図（もとより係止部材１８に代えて適宜の形状の取付部材を選択することができる。）、（ｃ）は回転軸１２及び回転部１３の側面図である。本発明に係る天板の支持具は、上部支持部１と、下部支持部２と、中間支持部３とからなる。
【０００８】
前記上部支持部１は、水平方向に円腔５を設けた回転軸受部材４と、前記円腔５に回転可能に嵌合する回転軸６と、該回転軸６の端部に同体に形成され又は別体に形成固着され、回転軸６の回転方向に突起しネジを螺刻した突起８を設けた回転部７と、前記突起８に螺着するフランジナット９とからなる。前記回転軸受部材４は、図２に示すように、例えば、前記取付部材１７に螺着し、該取付部材１７を天板下面の天板垂れ下がりを防止できる所望の位置に取付け、前記回転軸６を円腔５に嵌合する。
【０００９】
前記下部支持部２は、水平方向に円腔１１を設けた回転軸受部材１０と、前記円腔１１に回転可能に嵌合する回転軸１２と、該回転軸１２の端部に同体に形成され又は別体に形成固着され、回転軸１２の回転方向に突起１４を設けた回転部１３とからなる。前記回転軸受部材１０は、図３に示すように、例えば、前記係止部材１８に螺着し、適宜の物に係止し（本発明の目的は、前述のとおり脚の全部又は一部を省き、空間を効率よく利用することにあり、従って、下部支持部２の取付けは例えば隣接する他の机、床垂直方向に固定されたパネルその他適宜の物を対象とすることができるので、係止部材１８の形状は取付対象物によって選択される。）、前記回転軸１２を円腔１１に嵌合する。
【００１０】
前記中間支持部３は、上端及び下端に前記突起８及び突起１４とそれぞれ嵌合する凹部１７及び凹部１８を穿設した棒状又は管状体に形成し、長さは、上部支持部材１及び下部支持部材が取付られる位置に応じてやや短めに決定され、前記フランジナット９の操作によって調整可能になっている。
【産業上の利用可能性】
【００１１】
上部支持部１及び下部支持部２は、空間の利用をできるだけ妨げないように取付位置を決定でき、これに応じて中間支持部３の長さが確定され、その着脱は回転部７、回転部１３及びフランジナット９により極めた容易にできるので、ひろく家具の構成にも適用できる。
【図面の簡単な説明】
【００１２】
【図１】本発明の構成を示す概略図である。
【図２】上部支持部１の構成部材を示す概略図で、（ａ）は取付部材１７に固着した状態を示            す回転軸受部材４の正面図、（ｂ）は取付部材１７の背面図、（ｃ）は回転軸６及び回            転部７の側面図である。
【図３】下部支持部２の構成部材を示す概略図で、（ａ）は係止部材１６に固着した状態を示            す回転軸受部材１０の正面図、（ｂ）は係止部材１８の背面図、（ｃ）は回転軸１２及            び回転部１３の側面図である。
【符号の説明】
【００１３】
１    上部支持部
２    下部支持部
３    中間支持部
４    回転軸受部材
５    円腔
６    回転軸
７    回転部
８    突起
９    フランジナット
１０    回転軸受部材
１１    円腔
１２    回転軸
１３    回転部
１４    突起
１５    凹部
１６    凹部
１７    取付部材
１８    係止部材
【図１】
2008073198.tif 000003
【図２】
2008073198.tif 000004
【図３】
2008073198.tif 000005